(57)【要約】【課題】プリント画質を向上させることができる転写装置を提供する。【解決手段】転写装置２の画像表示手段としてカラー液晶表示器（ＬＣＤ）１２を用いる。ＬＣＤ１２の画素の配列方向と、多孔板１１の貫通孔１１ａの配列方向とを略同一とする。多孔板１１の貫通孔１１ａから射出した光がＬＣＤ１２を通過する光量が増加する。したがって、光の利用効率が向上し、省電力化に役立つ。現像されたプリントの画質が向上され、見た目に適正なプリントを得ることができる。【選択図】　　　　図３
2004133309.tif 000002
【特許請求の範囲】
【請求項１】
光を照射する光源と、複数の貫通孔が一定パターンで二次元配列され、前記複数の貫通孔の各々を通して光源からの光を略平行なスポット光にして射出させる多孔板と、二次元配列された画素により画像を表示する透過型の画像表示手段とを備え、多孔板から射出したスポット光を画像表示手段に照射して、その透過光により感光性記録媒体に画像を転写する転写装置において、
前記画像表示手段の画素の配列方向と、前記多孔板の貫通孔の配列方向とを略同一としたことを特徴とする転写装置。
【請求項２】
前記画像表示手段は、画素配列に対応して赤色光、緑色光、青色光を透過するマイクロカラーフィルタを備えたカラー液晶表示器であることを特徴とする請求項１に記載の転写装置。
【発明の詳細な説明】
【０００１】
【発明の属する技術分野】
本発明は、光を照射する光源と、光源からの光を略平行光にして感光性記録媒体に照射する多孔板と、画像を表示する透過型の画像表示手段とからなり、画像表示手段に表示された画像を光源からの光を用いて感光性記録媒体に転写する転写装置に関する。
【０００２】
【従来の技術】
ＣＣＤイメージセンサなどの撮像素子で撮像された被写体画像をデジタルの画像データに変換し、この画像データをメモリカードや内蔵メモリなどの記憶媒体に記憶させるデジタルカメラが普及している。このようなデジタルカメラの中には、記憶媒体に保存されている画像データから所望の画像データをインスタントフイルムなどの感光性記録媒体にハードコピーし、インスタント写真をプリントするものがある。
【０００３】
上記のプリンタには、光を照射するプリント用光源と、複数の貫通孔が設けられ、光源からの光を略平行光とする多孔板と、カメラで撮影した被写体画像を表示する透過型の液晶表示器とからなる転写装置が用いられる。この転写装置は、液晶表示器で表示された画像を光源からの光を用いて感光性記録媒体に転写する（特許文献１〜３参照）。
【０００４】
【特許文献１】
特開２００２−１９６４２４号公報
【特許文献２】
特開２００２−１９６４２５号公報
【特許文献３】
特開２００２−１９６４２６号公報
【０００５】
【発明が解決しようとする課題】
特許文献１〜３に記載される転写装置では、画像表示手段として、図４に示すような液晶表示器５０を用いている。この液晶表示器５０は、マトリクス状に配列された１画素毎の液晶セル５１の内部に、赤色光（Ｒ）、緑色光（Ｇ）、青色光（Ｂ）を透過するマイクロカラーフィルタ５２を配置して構成される。液晶表示器５０の各液晶セル５１間および各フィルタ５２間は、配線５３やブラックマトリクス５４により仕切られているため、液晶表示器５０に表示される画像の画素間には隙間が生じる。
【０００６】
また、配線５３による各フィルタ間の隙間ｄ１よりも、ブラックマトリクス５４による各列間の隙間ｄ２の方が幅広であるため、上記の現象は液晶表示器５０の画素の配列方向においてさらに顕著になる。
【０００７】
以上のことから、液晶表示器５０のブラックマトリクス５４の配列方向と、多孔板の孔のあいていない壁の部分が配列している方向とが一致している方が、多孔板から射出した光の利用効率がよい。また、ＲＧＢの向きと多孔板の孔の配列方向が一致するため画質がよくなる。
【０００８】
本発明は、プリント画質を向上させることができる転写装置を提供することを目的とする。
【０００９】
【課題を解決するための手段】
上記目的を達成するために、本発明は、光を照射する光源と、複数の貫通孔が一定パターンで二次元配列され、前記複数の貫通孔の各々を通して光源からの光を略平行なスポット光にして射出させる多孔板と、二次元配列された画素により画像を表示する透過型の画像表示手段とを備え、多孔板から射出したスポット光を画像表示手段に照射して、その透過光により感光性記録媒体に画像を転写する転写装置において、前記画像表示手段の画素の配列方向と、前記多孔板の貫通孔の配列方向とを略同一としたことを特徴とする。
【００１０】
なお、前記画像表示手段には、画素配列に対応して赤色光、緑色光、青色光を透過するマイクロカラーフィルタを備えたカラー液晶表示器を用いる。
【００１１】
【発明の実施の形態】
図１に、本発明を実施した転写装置の概略構成を示す。転写装置２は、バックライトユニット１０、多孔板１１、カラー液晶表示器（ＬＣＤ）１２、および冷陰極管１３などからなる。バックライトユニット１０は、ＬＣＤ１２の背後からその全面に均一な光を照射するためのもので、ＬＣＤ１２の表示画面と略同一の発光面を有する面状光源である。このバックライトユニット１０は、冷陰極管１３から照射された光を所定方向に導入する導光板と、導光板に導入された光を略直交する方向に反射させる反射シートと、反射された光を均一にする拡散シートやプリズムシートなどを有するバックライトアセンブリとからなる。なお、バックライトユニット１０としては、公知のＬＣＤ用バックライトユニットを用いることができる。また、所定の強度の光を射出できる面状光源であれば、ＬＥＤアレイや有機、無機ＥＬパネルなども用いることができる。
【００１２】
ＬＣＤ１２は、デジタルカメラ、ビデオカメラ、パーソナルコンピュータなどから供給される所望の画像データを読み出して表示する透過型の画像表示手段である。図２に示すように、このＬＣＤ１２は、液晶層２５の両側を、偏光フイルム２０、ガラス基板２１、電極２３、および配向膜２４からなる層で挟んだ積層構造であり、カラー画像を表示するためのマイクロカラーフィルタ２２（図３も参照）を有している。
【００１３】
多孔板１１は、バックライトユニット１０からの光を略平行なスポット光にしてＬＣＤ１２に照射する。この多孔板１１は、所定厚みの矩形板に、所定サイズの円筒形の貫通孔１１ａを、所定ピッチで千鳥格子状に多数設けたものである。図３に示すように、貫通孔１１ａの配列方向は、ＬＣＤ１２の画素の配列方向と同一となっている。なお、多孔板１１の材質としては、アルミニウムなどの金属板やプラスチック樹脂板、カーボンなどを用いることができる。また、貫通孔１１ａの断面形状は、楕円形、多角形（例えばハニカム形状）など適宜変更することが可能である。また、貫通孔１１ａの配列形状も、碁盤目状などを用いることができる。
【００１４】
ここで、多孔板１１の板厚６ｍｍ、貫通孔１１ａの径０．５φ、配列ピッチ０．７ｍｍであった場合、ＬＣＤ１２のドットサイズｄ３×ｄ４（図４参照）は、０．２３×０．２３ｍｍ、０．２３×０．４６ｍｍ、０．４６×０．４６ｍｍ、０．１２×０．１２ｍｍなどを代表例として挙げることができる。
【００１５】
図１において、転写装置２には、感光性記録媒体であるインスタントフイルム１４が積層して収納されたフイルムケース１５が装填される。インスタントフイルム１４には、例えばモノシートタイプのインスタント写真用フイルムが用いられる。このインスタントフイルム１４は、転写装置２の本体に設けられた押圧ピン１６によりＬＣＤ１２側に押し付けられる。フイルムケース１５には、ＬＣＤ１２に表示された画像を露光したインスタントフイルム１４が送り出される取り出し口１５ａが設けられている。この取り出し口１５ａから送り出されたインスタントフイルム１４は、現像液を封入された現像液ポッド（図示せず）が押し破られ、展開ローラ対１７により現像液を全体に展開された後、転写装置２の本体に設けられた排出口１８に排出される。
【００１６】
次に、上記構成による作用について説明する。まず、プリントを希望する画像データをデジタルカメラなどから読み出し、ＬＣＤ１２に表示する。そして、冷陰極管１３を点灯し、ＬＣＤ１２に表示された画像をインスタントフイルム１４に露光する。このとき、多孔板１１の貫通孔１１ａの配列方向と、ＬＣＤ１２の画素の配列方向とが同一になっているので、多孔板１１の貫通孔１１ａから射出した光がＬＣＤ１２を通過する光量が増加する。したがって、光の利用効率が向上し、省電力化に役立つ。また、現像されたプリントの画質が向上され、見た目に適正なプリントを得ることができる。
【００１７】
画像の露光後、展開ローラ対１７を駆動し、現像液をフイルム全体に展開して現像処理を施す。現像処理後のインスタントフイルム１４を、排出口１８から転写装置２の外部に排出する。
【００１８】
【発明の効果】
以上のように、本発明の転写装置によれば、画像表示手段の画素の配列方向と、多孔板の貫通孔の配列方向とを略同一としたので、プリント画質を向上させることができる。
【図面の簡単な説明】
【図１】本発明を実施した転写装置の概略構成を示す図である。
【図２】液晶表示器の構成を示す断面図である。
【図３】貫通孔および液晶表示器の画素の配列形状を示す図である。
【図４】液晶表示器の構成を示す平面図である。
【符号の説明】
２　転写装置
１０　バックライトユニット
１１　多孔板
１１ａ　貫通孔
１２　カラー液晶表示器（ＬＣＤ）
１３　冷陰極管
１４　インスタントフイルム
２２　マイクロカラーフィルタ
３０　仕切り
【図１】
2004133309.tif 000003
【図２】
2004133309.tif 000004
【図３】
2004133309.tif 000005
【図４】
2004133309.tif 000006